【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
第１の表示手段に表示させるデータの処理を行う第１の情報処理装置と、前記第１の表示手段に表示された前記データを指示する第２の情報処理装置とからなり、
前記第１の情報処理装置は、
前記第１の表示手段に表示させる前記データの制御を行う第１の表示制御手段と、
前記第２の情報処理装置で行われたユーザの操作を表す操作情報を前記第２の情報処理装置から受信し、前記第１の表示手段に表示されたデータのうちの前記第２の情報処理装置で指示された指示データに関するデータ情報を送信する第１の通信手段と、
前記第２の情報処理装置で指示された前記第１の表示手段上の位置を検出する第１の検出手段と
を備え、
前記第２の情報処理装置は、
ユーザの操作を受け付ける受付手段と、
前記ユーザの操作を表す操作情報を前記第１の情報処理装置に送信し、前記データ情報を前記第１の情報処理装置から受信する第２の通信手段と、
前記第２の通信手段が受信した前記データ情報を記憶する受信データ記憶手段と
を備え、
前記受付手段は、前記ユーザによる第１の操作を受け付け、
前記第２の通信手段は、前記第１の操作を表す操作情報を前記第１の情報処理装置に送信し、
前記第１の通信手段は、前記第１の操作を表す操作情報を前記第２の情報処理装置から受信し、
前記第１の検出手段は、前記第１の操作を表す操作情報が受信された場合に、前記第２の情報処理装置で指示された前記第１の表示手段上の第１の位置を検出し、
前記第１の通信手段は、前記第１の位置に表示されている前記指示データに関する前記データ情報を送信し、
前記第２の通信手段は、前記データ情報を前記第１の情報処理装置から受信し、
前記受信データ記憶手段は、前記第２の通信手段が受信した前記データ情報を記憶し、
前記受付手段は、前記ユーザによる第２の操作を受け付け、
前記第２の通信手段は、前記第２の操作を表す操作情報を前記第１の情報処理装置に送信し、
前記第１の通信手段は、前記第２の操作を表す操作情報を前記第２の情報処理装置から受信するとともに、前記データ情報の要求を前記第２の情報処理装置に送信し、
前記第１の検出手段は、前記第２の操作を表す操作情報が受信された場合に、前記第２の情報処理装置で指示された前記第１の表示手段上の第２の位置を検出し、
前記第２の通信手段は、前記データ情報の要求を前記第１の情報処理装置から受信した場合、前記受信データ記憶手段に記憶されている前記データ情報を送信し、
前記第１の通信手段は、前記第２の情報処理装置から送信されてくる前記データ情報を受信し、
前記第１の表示制御手段は、前記第１の通信手段が受信した前記データ情報に基づいて、前記指示データを前記第１の表示手段の前記第２の位置に表示させる
情報処理システム。
【請求項２】
前記データ情報は、前記指示データそのものである
請求項１に記載の情報処理システム。
【請求項３】
前記データ情報は、前記指示データを識別するデータ識別情報であり、
前記第１の情報処理装置は、
前記第２の情報処理装置で指示された前記指示データを記憶する指示データ記憶手段をさらに備え、
前記第１の表示制御手段は、前記第１の検出手段が検出した前記第1の位置に表示されている前記指示データを前記指示データ記憶手段に記憶させ、前記第１の通信手段が受信した前記データ識別情報に基づいて、前記指示データ記憶手段に記憶されている前記指示データを前記第１の表示手段の前記第２の位置に表示させる
請求項１に記載の情報処理システム。
【請求項４】
前記受付手段は、スイッチであり、
前記第１の操作は、前記スイッチの押下であり、前記第２の操作は、押下された前記スイッチを元に戻す操作である
請求項１に記載の情報処理システム。
【請求項５】
前記第１または第２の通信手段は、電波を介した近接通信を行い、
前記第２の情報処理装置は、
前記第１の通信手段から送信されてくる電波から電力を抽出する電力抽出手段をさらに備え、
前記電力抽出手段により所定以上の電力が抽出された場合に起動する
請求項１に記載の情報処理システム。
【請求項６】
前記第２の情報処理装置と通信を行う第３の情報処理装置をさらに備え、
前記第３の情報処理装置は、
第２の表示手段に表示させる前記データの制御を行う第２の表示制御手段と、
前記第２の情報処理装置で行われた前記ユーザの操作を表す操作情報を前記第２の情報処理装置から受信するとともに、前記指示データに関するデータ情報を前記第２の情報処理装置から受信する第３の通信手段と、
前記第２の情報処理装置で指示された前記第２の表示手段上の位置を検出する第２の検出手段と
を有し、
前記第３の通信手段は、前記第２の操作を表す操作情報を前記第２の情報処理装置から受信するとともに、前記データ情報の要求を前記第２の情報処理装置に送信し、
前記第２の検出手段は、前記第２の操作を表す操作情報が受信された場合に、前記第２の情報処理装置で指示された前記第２の表示手段の第３の位置を検出し、
前記第３の通信手段は、前記データ情報の要求に応じて前記第２の情報処理装置から送信されてくる前記データ情報を受信し、
前記第２の表示制御手段は、前記第３の通信手段が受信した前記データ情報に基づいて、前記指示データを前記第２の表示手段の前記第３の位置に表示させる
請求項１に記載の情報処理システム。
【請求項７】
前記データ情報は、前記指示データそのものである
請求項６に記載の情報処理システム。
【請求項８】
前記データ情報は、前記指示データを識別するデータ識別情報であり、
前記第１の情報処理装置は、
前記第２の情報処理装置で指示された前記指示データを記憶する指示データ記憶手段と、
前記第１の通信手段と異なる通信方式により前記第３の情報処理装置と通信する第４の通信手段と
をさらに備え、
前記第３の情報処理装置は、
前記第３の通信手段と異なる通信方式であって、前記第４の通信手段と同一の通信方式により前記第１の情報処理装置と通信する第５の通信手段をさらに有し、
前記第１の表示制御手段は、前記第１の検出手段が検出した前記第１の位置に表示されている前記指示データを前記指示データ記憶手段に記憶させ、
前記第５の通信手段は、前記第３の通信手段が前記第２の情報処理装置から受信した前記データ識別情報を前記第１の情報処理装置に送信し、
前記第４の通信手段は、前記第３の情報処理装置から送信されてくる前記データ識別情報を受信するとともに、前記データ識別情報に基づいて前記指示データ記憶手段に記憶されている前記指示データを前記第３の情報処理装置に送信し、
前記第５の通信手段は、前記第１の情報処理装置から送信されてくる前記指示データを受信し、
前記第２の表示制御手段は、前記第５の通信手段が受信した前記指示データを前記第２の表示手段の前記第３の位置に表示させる
請求項６に記載の情報処理システム。
【請求項９】
第１の情報処理装置の表示手段に表示させるデータの制御を行う表示制御手段と、第２の情報処理装置で行われたユーザの操作を表す操作情報を前記第１の情報処理装置から受信し、前記表示手段に表示されたデータのうちの前記第２の情報処理装置で指示された指示データに関するデータ情報を送信する第１の通信手段と、前記第２の情報処理装置で指示された前記表示手段上の位置を検出する検出手段とを備える前記第１の情報処理装置と、ユーザの操作を受け付ける受付手段と、前記ユーザの操作を表す操作情報を前記第１の情報処理装置に送信し、前記データ情報を前記第１の情報処理装置から受信する第２の通信手段と、前記第２の通信手段が受信した前記データ情報を記憶する受信データ記憶手段とを備える前記第２の情報処理装置とから構成される情報処理システムの、
前記受付手段において、前記ユーザによる第１の操作を受け付け、
前記第２の通信手段において、前記第１の操作を表す操作情報を前記第１の情報処理装置に送信し、
前記第１の通信手段において、前記第１の操作を表す操作情報を前記第２の情報処理装置から受信し、
前記第１の検出手段において、前記第１の操作を表す操作情報が受信された場合に、前記第２の情報処理装置で指示された前記第１の表示手段上の第１の位置を検出し、
前記第１の通信手段において、前記第１の位置に表示されている前記指示データに関する前記データ情報を送信し、
前記第２の通信手段において、前記データ情報を前記第１の情報処理装置から受信し、
前記受信データ記憶手段において、前記第２の通信手段が受信した前記データ情報を記憶し、
前記受付手段において、前記ユーザによる第２の操作を受け付け、
前記第２の通信手段において、前記第２の操作を表す操作情報を前記第１の情報処理装置に送信し、
前記第１の通信手段において、前記第２の操作を表す操作情報を前記第２の情報処理装置から受信するとともに、前記データ情報の要求を前記第２の情報処理装置に送信し、
前記第１の検出手段において、前記第２の操作を表す操作情報が受信された場合に、前記第２の情報処理装置で指示された前記第１の表示手段上の第２の位置を検出し、
前記第２の通信手段において、前記データ情報の要求を前記第１の情報処理装置から受信した場合、前記受信データ記憶手段に記憶されている前記データ情報を送信し、
前記第１の通信手段において、前記第２の情報処理装置から送信されてくる前記データ情報を受信し、
前記第１の表示制御手段において、前記第１の通信手段が受信した前記データ情報に基づいて、前記指示データを前記第１の表示手段の前記第２の位置に表示させる
情報処理方法。
【請求項１０】
表示手段に表示させるデータの制御を行う表示制御手段と、
前記表示手段に表示されたデータを指示する第１の装置で行われたユーザの操作を表す操作情報を前記第１の装置から受信し、前記表示手段に表示されたデータのうちの前記第１の装置で指示された指示データに関するデータ情報を送信する第１の通信手段と、
前記第１の装置で指示された前記表示手段上の位置を検出する検出手段と
を備え、
前記第１の通信手段は、前記ユーザによる第１の操作を表す操作情報を前記第１の装置から受信し、
前記検出手段は、前記第１の通信手段が前記第１の操作を表す操作情報を受信した場合に、前記第１の装置で指示された前記表示手段上の第１の位置を検出し、
前記第１の通信手段は、前記第１の位置に表示されている前記指示データに関する前記データ情報を送信するとともに、前記ユーザによる第２の操作を表す操作情報を前記第１の装置から受信した場合に、前記データ情報の要求を前記第１の装置に送信し、
前記検出手段は、前記第１の通信手段が前記第２の操作を表す操作情報を受信した場合に、前記第１の装置で指示された前記表示手段上の第２の位置を検出し、
前記第１の通信手段は、前記データ情報の要求に応じて前記第１の装置から送信されてくる前記データ情報を受信し、
前記表示制御手段は、前記第１の通信手段が受信した前記データ情報に基づいて、前記指示データを前記表示手段の前記第２の位置に表示させる
情報処理装置。
【請求項１１】
前記データ情報は、前記指示データそのものである
請求項１０に記載の情報処理装置。
【請求項１２】
前記データ情報は、前記指示データを識別するデータ識別情報であり、
前記第１の装置で指示された前記指示データを記憶する指示データ記憶手段をさらに備え、
前記表示制御手段は、前記検出手段が検出した前記第１の位置に表示されている前記指示データを前記指示データ記憶手段に記憶させ、前記第１の通信手段が受信した前記データ識別情報に基づいて、前記指示データ記憶手段に記憶されている前記指示データを前記表示手段の前記第２の位置に表示させる
請求項１０に記載の情報処理装置。
【請求項１３】
前記第１の通信手段と異なる通信方式により第２の装置と通信する第２の通信手段をさらに備え、
前記表示制御手段は、前記検出手段が検出した前記第１の位置に表示されている前記指示データを前記指示データ記憶手段に記憶させ、
前記第２の通信手段は、前記第２の装置から送信されてくる前記データ識別情報を受信するとともに、前記データ識別情報に基づいて前記指示データ記憶手段に記憶されている前記指示データを前記第２の装置に送信する
請求項１０に記載の情報処理装置。
【請求項１４】
前記第１の通信手段は、前記第１の装置と、電波を介した近接通信を行い、
前記第１の通信手段から送信されてくる電波から電力を抽出する電力抽出手段をさらに備え、
前記電力抽出手段により所定以上の電力が抽出された場合に起動する
請求項１０に記載の情報処理装置。
【請求項１５】
表示手段に表示させるデータの制御を行う表示制御手段と、他の装置で行われたユーザの操作を表す操作情報を前記他の装置から受信し、前記表示手段に表示されたデータのうちの前記他の装置で指示された指示データに関するデータ情報を送信する第１の通信手段と、前記他の装置で指示された前記表示手段上の位置を検出する検出手段とを備える情報処理装置の、
前記第１の通信手段において、前記ユーザによる第１の操作を表す操作情報を前記他の装置から受信し、
前記検出手段において、前記第１の通信手段が前記第１の操作を表す操作情報を受信した場合に、前記他の装置で指示された前記表示手段上の第１の位置を検出し、
前記第１の通信手段において、前記第１の位置に表示されている前記指示データに関する前記データ情報を送信するとともに、前記ユーザによる第２の操作を表す操作情報を前記他の装置から受信した場合に、前記データ情報の要求を前記他の装置に送信し、
前記検出手段において、前記第１の通信手段が前記第２の操作を表す操作情報を受信した場合に、前記他の装置で指示された前記表示手段上の第２の位置を検出し、
前記第１の通信手段において、前記データ情報の要求に応じて前記他の装置から送信されてくる前記データ情報を受信し、
前記表示制御手段において、前記第１の通信手段が受信した前記データ情報に基づいて、前記指示データを前記表示手段の前記第２の位置に表示させる
情報処理方法。
【請求項１６】
コンピュータに、
ユーザによる第１の操作を表す操作情報を他の装置から受信し、
前記第１の操作を表す操作情報を受信した場合に、前記他の装置で指示された表示手段上の第１の位置を検出し、
前記第１の位置に表示されている前記表示手段に表示されたデータのうちの前記他の装置で指示された指示データに関するデータ情報を送信するとともに、前記ユーザによる第２の操作を表す操作情報を前記他の装置から受信した場合に、前記データ情報の要求を前記他の装置に送信し、
前記第２の操作を表す操作情報を受信した場合に、前記他の装置で指示された前記表示手段上の第２の位置を検出し、
前記データ情報の要求に応じて前記他の装置から送信されてくる前記データ情報を受信し、
受信した前記データ情報に基づいて、前記指示データを前記表示手段の前記第２の位置に表示させる
処理を実行させるためのプログラム。
【請求項１７】
ユーザの操作を受け付ける受付手段と、
前記ユーザの操作を表す操作情報を前記他の装置に送信し、前記他の装置の表示手段に表示されたデータのうちの指示された指示データに関するデータ情報を前記他の装置から受信する通信手段と、
前記通信手段が受信した前記データ情報を記憶する受信データ記憶手段と
を備え、
前記受付手段は、前記ユーザによる第１の操作を受け付け、
前記通信手段は、前記第１の操作を表す操作情報を前記他の装置に送信するとともに、前記データ情報を前記他の装置から受信し、
前記受信データ記憶手段は、前記通信手段が受信した前記データ情報を記憶し、
前記受付手段は、前記ユーザによる第２の操作を受け付け、
前記通信手段は、前記第２の操作を表す操作情報を前記他の装置に送信するとともに、
前記データ情報の要求を前記他の装置から受信した場合、前記受信データ記憶手段に記憶されている前記データ情報を前記他の装置に送信する
情報処理装置。
【請求項１８】
前記データ情報は、前記指示データそのものであるか、または、前記指示データを識別するデータ識別情報である
請求項１７に記載の情報処理装置。
【請求項１９】
前記受付手段は、スイッチであり、
前記第１の操作は、前記スイッチの押下であり、前記第２の操作は、押下された前記スイッチを元に戻す操作である
請求項１７に記載の情報処理装置。
【請求項２０】
前記通信手段は、前記他の装置と、電磁波を介した近接通信を行う
請求項１７に記載の情報処理装置。
【請求項２１】
ユーザの操作を受け付ける受付手段と、前記ユーザの操作を表す操作情報を他の装置に送信し、前記他の装置の表示手段に表示されたデータのうちの指示された指示データに関するデータ情報を前記他の装置から受信する通信手段と、前記通信手段が受信した前記データ情報を記憶する受信データ記憶手段とを備える情報処理装置の、
前記受付手段において、前記ユーザによる第１の操作を受け付け、
前記通信手段において、前記第１の操作を表す操作情報を前記他の装置に送信するとともに、前記データ情報を前記他の装置から受信し、
前記受信データ記憶手段において、前記通信手段が受信した前記データ情報を記憶し、
前記受付手段において、前記ユーザによる第２の操作を受け付け、
前記通信手段において、前記第２の操作を表す操作情報を前記他の装置に送信するとともに、前記データ情報の要求を前記他の装置から受信した場合、前記受信データ記憶手段に記憶されている前記データ情報を前記他の装置に送信する
ことを特徴とする情報処理方法。
【請求項２２】
コンピュータに、
ユーザによる第１の操作を受け付け、
前記第１の操作を表す操作情報を他の装置に送信するとともに、前記他の装置の表示手段に表示されたデータのうちの指示された指示データに関するデータ情報を前記他の装置から受信し、
受信した前記データ情報を記憶し、
前記ユーザによる第２の操作を受け付け、
前記第２の操作を表す操作情報を前記他の装置に送信するとともに、前記データ情報の要求を前記他の装置から受信した場合、記憶されている前記データ情報を前記他の装置に送信する
処理を実行させるためのプログラム。
【手続補正２】
【補正対象書類名】明細書
【補正対象項目名】００１１
【補正方法】変更
【補正の内容】
【００１１】
本発明の情報処理システムは、第１の表示手段に表示させるデータの処理を行う第１の情報処理装置と、第１の表示手段に表示されたデータを指示する第２の情報処理装置とからなり、第１の情報処理装置は、第１の表示手段に表示させるデータの制御を行う第１の表示制御手段と、第２の情報処理装置で行われたユーザの操作を表す操作情報を第２の情報処理装置から受信し、第１の表示手段に表示されたデータのうちの第２の情報処理装置で指示された指示データに関するデータ情報を送信する第１の通信手段と、第２の情報処理装置で指示された第１の表示手段上の位置を検出する第１の検出手段とを備え、第２の情報処理装置は、ユーザの操作を受け付ける受付手段と、ユーザの操作を表す操作情報を第１の情報処理装置に送信し、データ情報を第１の情報処理装置から受信する第２の通信手段と、第２の通信手段が受信したデータ情報を記憶する受信データ記憶手段とを備え、受付手段は、ユーザによる第１の操作を受け付け、第２の通信手段は、第１の操作を表す操作情報を第１の情報処理装置に送信し、第１の通信手段は、第１の操作を表す操作情報を第２の情報処理装置から受信し、第１の検出手段は、第１の操作を表す操作情報が受信された場合に、第２の情報処理装置で指示された第１の表示手段上の第１の位置を検出し、第１の通信手段は、第１の位置に表示されている指示データに関するデータ情報を送信し、第２の通信手段は、データ情報を第１の情報処理装置から受信し、受信データ記憶手段は、第２の通信手段が受信したデータ情報を記憶し、受付手段は、ユーザによる第２の操作を受け付け、第２の通信手段は、第２の操作を表す操作情報を第１の情報処理装置に送信し、第１の通信手段は、第２の操作を表す操作情報を第２の情報処理装置から受信するとともに、データ情報の要求を第２の情報処理装置に送信し、第１の検出手段は、第２の操作を表す操作情報が受信された場合に、第２の情報処理装置で指示された第１の表示手段上の第２の位置を検出し、第２の通信手段は、データ情報の要求を第１の情報処理装置から受信した場合、受信データ記憶手段に記憶されているデータ情報を送信し、第１の通信手段は、第２の情報処理装置から送信されてくるデータ情報を受信し、第１の表示制御手段は、第１の通信手段が受信したデータ情報に基づいて、指示データを第１の表示手段の第２の位置に表示させる。
【手続補正３】
【補正対象書類名】明細書
【補正対象項目名】００１９
【補正方法】変更
【補正の内容】
【００１９】
本発明の第１の情報処理方法は、受付手段において、ユーザによる第１の操作を受け付け、第２の通信手段において、第１の操作を表す操作情報を第１の情報処理装置に送信し、第１の通信手段において、第１の操作を表す操作情報を第２の情報処理装置から受信し、第１の検出手段において、第１の操作を表す操作情報が受信された場合に、第２の情報処理装置で指示された第１の表示手段上の第１の位置を検出し、第１の通信手段において、第１の位置に表示されている指示データに関するデータ情報を送信し、第２の通信手段において、データ情報を第１の情報処理装置から受信し、受信データ記憶手段において、第２の通信手段が受信したデータ情報を記憶し、受付手段において、ユーザによる第２の操作を受け付け、第２の通信手段において、第２の操作を表す操作情報を第１の情報処理装置に送信し、第１の通信手段において、第２の操作を表す操作情報を第２の情報処理装置から受信するとともに、データ情報の要求を第２の情報処理装置に送信し、第１の検出手段において、第２の操作を表す操作情報が受信された場合に、第２の情報処理装置で指示された第１の表示手段上の第２の位置を検出し、第２の通信手段において、データ情報の要求を第１の情報処理装置から受信した場合、受信データ記憶手段に記憶されているデータ情報を送信し、第１の通信手段において、第２の情報処理装置から送信されてくるデータ情報を受信し、第１の表示制御手段において、第１の通信手段が受信したデータ情報に基づいて、指示データを第１の表示手段の第２の位置に表示させる。
【手続補正４】
【補正対象書類名】明細書
【補正対象項目名】００２１
【補正方法】変更
【補正の内容】
【００２１】
本発明の第１の情報処理装置は、表示手段に表示させるデータの制御を行う表示制御手段と、表示手段に表示されたデータを指示する第１の装置で行われたユーザの操作を表す操作情報を第１の装置から受信し、表示手段に表示されたデータのうちの第１の装置で指示された指示データに関するデータ情報を送信する第１の通信手段と、第１の装置で指示された表示手段上の位置を検出する検出手段とを備え、第１の通信手段は、ユーザによる第１の操作を表す操作情報を第１の装置から受信し、検出手段は、第１の通信手段が第１の操作を表す操作情報を受信した場合に、第１の装置で指示された表示手段上の第１の位置を検出し、第１の通信手段は、第１の位置に表示されている指示データに関するデータ情報を送信するとともに、ユーザによる第２の操作を表す操作情報を第１の装置から受信した場合に、データ情報の要求を第１の装置に送信し、検出手段は、第１の通信手段が第２の操作を表す操作情報を受信した場合に、第１の装置で指示された表示手段上の第２の位置を検出し、第１の通信手段は、データ情報の要求に応じて第１の装置から送信されてくるデータ情報を受信し、表示制御手段は、第１の通信手段が受信したデータ情報に基づいて、指示データを表示手段の第２の位置に表示させる。
【手続補正５】
【補正対象書類名】明細書
【補正対象項目名】００２６
【補正方法】変更
【補正の内容】
【００２６】
本発明の第２の情報処理方法は、第１の通信手段において、ユーザによる第１の操作を表す操作情報を他の装置から受信し、検出手段において、第１の通信手段が第１の操作を表す操作情報を受信した場合に、他の装置で指示された表示手段上の第１の位置を検出し、第１の通信手段において、第１の位置に表示されている指示データに関するデータ情報を送信するとともに、ユーザによる第２の操作を表す操作情報を他の装置から受信した場合に、データ情報の要求を他の装置に送信し、検出手段において、第１の通信手段が第２の操作を表す操作情報を受信した場合に、他の装置で指示された表示手段上の第２の位置を検出し、第１の通信手段において、データ情報の要求に応じて他の装置から送信されてくるデータ情報を受信し、表示制御手段において、第１の通信手段が受信したデータ情報に基づいて、指示データを表示手段の第２の位置に表示させる。
【手続補正６】
【補正対象書類名】明細書
【補正対象項目名】００２７
【補正方法】変更
【補正の内容】
【００２７】
本発明の第１のプログラムは、コンピュータに、ユーザによる第１の操作を表す操作情報を他の装置から受信し、第１の操作を表す操作情報を受信した場合に、他の装置で指示された表示手段上の第１の位置を検出し、第１の位置に表示されている表示手段に表示されたデータのうちの他の装置で指示された指示データに関するデータ情報を送信するとともに、ユーザによる第２の操作を表す操作情報を他の装置から受信した場合に、データ情報の要求を他の装置に送信し、第２の操作を表す操作情報を受信した場合に、他の装置で指示された表示手段上の第２の位置を検出し、データ情報の要求に応じて他の装置から送信されてくるデータ情報を受信し、受信したデータ情報に基づいて、指示データを表示手段の第２の位置に表示させる処理を実行させるためのプログラムである。
【手続補正７】
【補正対象書類名】明細書
【補正対象項目名】００２９
【補正方法】変更
【補正の内容】
【００２９】
本発明の第２の情報処理装置は、ユーザの操作を受け付ける受付手段と、ユーザの操作を表す操作情報を他の装置に送信し、他の装置の表示手段に表示されたデータのうちの指示された指示データに関するデータ情報を他の装置から受信する通信手段と、通信手段が受信したデータ情報を記憶する受信データ記憶手段とを備え、受付手段は、ユーザによる第１の操作を受け付け、通信手段は、第１の操作を表す操作情報を他の装置に送信するとともに、データ情報を他の装置から受信し、受信データ記憶手段は、通信手段が受信したデータ情報を記憶し、受付手段は、ユーザによる第２の操作を受け付け、通信手段は、第２の操作を表す操作情報を他の装置に送信するとともに、データ情報の要求を他の装置から受信した場合、受信データ記憶手段に記憶されているデータ情報を他の装置に送信する。
【手続補正８】
【補正対象書類名】明細書
【補正対象項目名】００３３
【補正方法】変更
【補正の内容】
【００３３】
本発明の第３の情報処理方法は、受付手段において、ユーザによる第１の操作を受け付け、通信手段において、第１の操作を表す操作情報を他の装置に送信するとともに、データ情報を他の装置から受信し、受信データ記憶手段において、通信手段が受信したデータ情報を記憶し、受付手段において、ユーザによる第２の操作を受け付け、通信手段において、第２の操作を表す操作情報を他の装置に送信するとともに、データ情報の要求を他の装置から受信した場合、受信データ記憶手段に記憶されているデータ情報を他の装置に送信する。
【手続補正９】
【補正対象書類名】明細書
【補正対象項目名】００３４
【補正方法】変更
【補正の内容】
【００３４】
本発明の第２のプログラムは、コンピュータに、ユーザによる第１の操作を受け付け、第１の操作を表す操作情報を他の装置に送信するとともに、他の装置の表示手段に表示されたデータのうちの指示された指示データに関するデータ情報を他の装置から受信し、受信したデータ情報を記憶し、ユーザによる第２の操作を受け付け、第２の操作を表す操作情報を他の装置に送信するとともに、データ情報の要求を他の装置から受信した場合、記憶されているデータ情報を他の装置に送信する処理を実行させるためのプログラムである。
【手続補正１０】
【補正対象書類名】明細書
【補正対象項目名】００３９
【補正方法】変更
【補正の内容】
【００３９】
請求項１に記載の情報処理システム（例えば、図１の表示システム１）は、
第１の表示手段に表示させるデータの処理を行う第１の情報処理装置と、前記第１の表示手段に表示された前記データを指示する第２の情報処理装置とからなり、
前記第１の情報処理装置（例えば、図１の端末装置１１）は、
前記第１の表示手段に表示させる前記データの制御を行う第１の表示制御手段（例えば、図２のCPU５１）と、
前記第２の情報処理装置で行われたユーザの操作を表す操作情報を前記第２の情報処理装置から受信し、前記第１の表示手段に表示されたデータのうちの前記第２の情報処理装置で指示された指示データに関するデータ情報を送信する第１の通信手段（例えば、図２のNFC通信部５８）と、
前記第２の情報処理装置で指示された前記第１の表示手段（例えば、図２の表示部７１）上の位置を検出する第１の検出手段（例えば、図２のタッチパネル７２）と
を備え、
前記第２の情報処理装置（例えば、図１のペン１２）は、
ユーザの操作を受け付ける受付手段（例えば、図４のスイッチ３１）と、
前記ユーザの操作を表す操作情報を前記第１の情報処理装置に送信し、前記データ情報を前記第１の情報処理装置から受信する第２の通信手段（例えば、図４の通信部１０１）と、
前記第２の通信手段が受信した前記データ情報を記憶する受信データ記憶手段（例えば、図４の記憶部１０４）と
を備え、
前記受付手段は、前記ユーザによる第１の操作を受け付け、
前記第２の通信手段は、前記第１の操作（例えば、スイッチ３１のオン操作）を表す操作情報（例えば、オン情報）を前記第１の情報処理装置に送信し、
前記第１の通信手段は、前記第１の操作を表す操作情報を前記第２の情報処理装置から受信し、
前記第１の検出手段は、前記第１の操作を表す操作情報が受信された場合に、前記第２の情報処理装置で指示された前記第１の表示手段上の第１の位置を検出し、
前記第１の通信手段は、前記第１の位置（例えば、接触位置Ａ）に表示されている前記指示データ（例えば、コピー文字）に関する前記データ情報（例えば、メモリID）を送信し、
前記第２の通信手段は、前記データ情報を前記第１の情報処理装置から受信し、
前記受信データ記憶手段は、前記第２の通信手段が受信した前記データ情報を記憶し、
前記受付手段は、前記ユーザによる第２の操作（例えば、スイッチ３１のオフ操作）を受け付け、
前記第２の通信手段は、前記第２の操作を表す操作情報（例えば、オフ情報）を前記第１の情報処理装置に送信し、
前記第１の通信手段は、前記第２の操作を表す操作情報を前記第２の情報処理装置から受信するとともに、前記データ情報の要求（例えば、保存情報要求）を前記第２の情報処理装置に送信し、
前記第１の検出手段は、前記第２の操作を表す操作情報が受信された場合に、前記第２の情報処理装置で指示された前記第１の表示手段上の第２の位置（例えば、接触位置Ｂ）を検出し、
前記第２の通信手段は、前記データ情報の要求を前記第１の情報処理装置から受信した場合、前記受信データ記憶手段に記憶されている前記データ情報を送信し、
前記第１の通信手段は、前記第２の情報処理装置から送信されてくる前記データ情報を受信し、
前記第１の表示制御手段は、前記第１の通信手段が受信した前記データ情報に基づいて、前記指示データを前記第１の表示手段の前記第２の位置に表示させる。
【手続補正１１】
【補正対象書類名】明細書
【補正対象項目名】００４０
【補正方法】変更
【補正の内容】
【００４０】
請求項３に記載の情報処理システムは、
前記データ情報は、前記指示データを識別するデータ識別情報であり、
前記第１の情報処理装置は、
前記第２の情報処理装置で指示された前記指示データを記憶する指示データ記憶手段（例えば、図２のRAM５３）をさらに備え、
前記第１の表示制御手段は、前記第１の検出手段が検出した前記第1の位置に表示されている前記指示データを前記指示データ記憶手段に記憶させ、前記第１の通信手段が受信した前記データ識別情報に基づいて、前記指示データ記憶手段に記憶されている前記指示データを前記第１の表示手段の前記第２の位置に表示させる。
【手続補正１２】
【補正対象書類名】明細書
【補正対象項目名】００４１
【補正方法】変更
【補正の内容】
【００４１】
請求項５に記載の情報処理システムは、
前記第１または第２の通信手段は、電波を介した近接通信を行い、
前記第２の情報処理装置は、
前記第１の通信手段から送信されてくる電波から電力を抽出する電力抽出手段（例えば、図４の電力抽出部１０２）をさらに備え、
前記電力抽出手段により所定以上の電力が抽出された場合に起動する。